(57)【要約】【課題】  バネ部材を有するホックにおいて、ロック機能を持たせる。【解決手段】  雄部材（１）の突起（１２）の下部に、雌部材のバネ（２３）の少なくとも一部が脱出不可能な態様で収容可能な溝（１３）を特定方向に延びるように設けると共に、前記特定方向以外の方向には前記溝（１３）を設けないことを特徴とするホックである。好ましくは、前記な溝（１３）は、溝上部の壁が直角又はそれに近い角度に切り込まれて形成されたものである。【選択図】  図１
2020175045.tif 000002
【特許請求の範囲】
【請求項１】
係合用の突起（１２，１２Ａ〜１２Ｄ）を備えた雄部材（１，１Ａ〜１Ｄ）を有し、
前記突起（１２，１２Ａ〜１２Ｄ）の受け部（２２，２２Ａ〜２２Ｄ）と、前記受け部の開閉用のバネ（２３，２３Ａ〜２３Ｄ）を備えた雌部材（２，２Ａ〜２Ｄ）を有し、
前記雄部材（１，１Ａ〜１Ｄ）と前記雌部材（２，２Ａ〜２Ｄ）が相互に円周方向に回転可能であるホックであって、
前記突起（１２，１２Ａ〜１２Ｄ）の下部に、前記バネ（２３，２３Ａ〜２３Ｄ）の少なくとも一部が脱出不可能な態様で収容可能な溝（１３，１３Ａ〜１３Ｄ）を特定方向に延びるように設けると共に、前記特定方向以外の方向には前記溝（１３，１３Ａ〜１３Ｄ）を設けない
ことを特徴とするホック。
【請求項２】
前記前記溝（１３，１３Ａ〜１３Ｄ）が前記突起表面の２個所に平行に設けられている請求項１記載のホック。
【請求項３】
前記バネ（２３，２３Ａ〜２３Ｄ）の少なくとも一部が脱出不可能な態様で収容可能な溝（１３，１３Ａ〜１３Ｄ）は、この溝（１３，１３Ａ〜１３Ｄ）上部の壁が直角又はそれに近い角度に切り込まれて形成されたものである請求項１又は２記載のホック。
【請求項４】
方向性があることを明示する目印（１４，１４Ａ〜１４Ｄ）がつけられている請求項１〜３のいずれかに記載のホック。
【請求項５】
雌部材が金属製バネを有する請求項１〜４のいずれかに記載のホック。
【請求項６】
雌部材が樹脂製バネを有する請求項１〜４のいずれかに記載のホック。
【請求項７】
前記雄部の固定部材が次の（ａ）〜（ｃ）のいずれかの取り付け方で生地に取り付けられている請求項１〜６のいずれかに記載のホック。
（ａ）独立したかしめ用の脚部（１７，１７Ｂ，１７Ｄ）でキャップ（１６，１６Ｂ，１６Ｄ）がかしめられている。
（ｂ）雄部（２Ａ）自身から延伸する円筒状の脚部（１７Ａ）でキャップ（１６Ａ）がかしめられている。
（ｃ）雄部の有する空洞部（１２１Ｃ）に、キャップ（１7Ｃ）が有する圧入用の小突起（１７Ｃ）が圧入されている。
【発明の詳細な説明】
【技術分野】
【０００１】
本発明は、ロック機能付きホックに関する。ホックの「ロック機能」とは、雌雄部材からなるホックにおいて、結合の際には特定の方向性がないが、引き剥がしの際には方向性があり、特定の方向からのみ引き剥がすことができ、その方向以外では引き剥がすことができない性質をいう。このような引き剥がしの方向性を有するホックは、衣料、袋物、履物などさまざまな分野で利用可能である。特に、通常は簡単に外れては困るが、修理などの特別なときには簡単に外れないと困るというような矛盾した要請のある場所に使用することが有効である。
【背景技術】
【０００２】
引き剥がしの際に方向性のあるスナップファスナに関して、本出願人は下記するような特許出願を行ったことがある（特許文献１〜４参照）。
【０００３】
これらの従来技術においては、雌雄係合部において互いに引っかかる膨出部同士を設けたり、一方の突起と他方の窪みを係合させたりして方向性を出すようにしている。
【先行技術文献】
【特許文献】
【０００４】
【特許文献１】特開２０００―２７０９０６
【特許文献２】特開２００１―８７１１
【特許文献３】特開２００１―７８８０９
【特許文献４】特開２００４―１９４８６２
【発明の概要】
【発明が解決しようとする課題】
【０００５】
上記従来技術は、雌雄部材がすべて樹脂製のボタンやスナップファスナが対象となっている。金属製その他のバネ部材を有するホックに関しては記載がないし示唆することもない。
【０００６】
本発明はバネ部材を有するホックにおいて、ロック機能を持たせることを目的とする。
【課題を解決するための手段】
【０００７】
本発明は、係合用の突起を備えた雄部材を有し、前記突起の受け部と、前記受け部の開閉用のバネを備えた雌部材を有し、前記雄部材と前記雌部材が相互に円周方向に回転可能であるホックであって、前記突起の下部に、前記バネの少なくとも一部が脱出不可能な態様で収容可能な溝を特定方向に延びるように設けると共に、前記特定方向以外の方向には前記溝を設けないことを特徴とする。
【０００８】
好ましくは、前記溝は前記突起表面の２個所に平行に設ける。
【０００９】
前記バネの少なくとも一部が脱出不可能な態様で収容可能な溝は、好ましくは、溝上部の壁が直角又はそれに近い角度に切り込まれて形成されたものである。
【００１０】
このホックには方向性があることを明示することが好ましく、そのための目印をつけておくことが好ましい。
【００１１】
このホックの雌雄部材は生地を介して、固定部材により取り付けられる。前記雄部の固定部材を生地に取り付けるには、次のような取り付け方がある。
【００１２】
（ａ）独立した円筒状のかしめ用の脚部で平板なキャップをかしめる。
（ｂ）雄部自身から延伸する円筒状の脚部で平板なキャップをかしめる。
（ｃ）雄部の有する空洞部に、キャップが有する圧入用の小突起を圧入させる。
【００１３】
バネ部材の素材としては金属製のものが普通であるが、金属製でなくても樹脂製その他のバネ部材を使用するホックについても使用可能である。
【発明の効果】
【００１４】
本発明によれば、前記雄部材の前記突起の下部に、前記バネの少なくとも一部が脱出不可能な態様で収容可能な溝が特定方向に延びるように設けられると共に、前記特定方向以外の方向には前記溝が設けられない。そのため、前記バネが溝に入ったときには雌雄部材を引き剥がすことはできない。雌雄部材を引き剥がすためには、ホックの雌雄部材を回転させてバネと溝の係合を解かなければならない。その結果、引き剥がしの際に方向性が表れる。
【図面の簡単な説明】
【００１５】
【図１】本発明における雌雄部材のロック機能の原理を説明する斜視図である。（ａ）はロックがかかっている状態、（ｂ）はロックが外れている状態、（ｃ）は実際にはずした状態を示す。
【図２】実施例１に係る雄部材の、（ａ）平面図、（ｂ）底面図、（ｃ）正面図、（ｄ）上記（ａ）のＡ−Ａ断面図、（ｅ）側面図、（ｆ）上記（ａ）のＢ−Ｂ断面図である。
【図３】実施例１に係る雌部材の、（ａ）平面図、（ｂ）底面図、（ｃ）正面図、（ｄ）上記（ｂ）のＣ−Ｃ断面図である。
【図４】実施例１に係る雌部材の固定部材であり、（ａ）平面図、（ｂ）底面図、（ｃ）正面図、（ｄ）上記（ａ）のＤ−Ｄ断面図である。
【図５】実施例１に係る雌雌雄部材の使用方法を示す図であり、（ａ）は雌部材の形成方法を示す断面図、（ｂ）は雌雄部材結合前の断面図、（ｃ）は雌雄部材結合後（ロック状態）の断面図である。
【図６】実施例２に係る雄部材の、（ａ）平面図、（ｂ）底面図、（ｃ）正面図、（ｄ）上記（ａ）のＥ−Ｅ断面図、（ｅ）側面図、（ｆ）上記（ａ）のＦ−Ｆ断面図である。
【図７】実施例２に係る雌部材の固定部材であり、（ａ）平面図、（ｂ）底面図、（ｃ）正面図、（ｄ）上記（ａ）のＧ−Ｇ断面図である。
【図８】実施例２に係る雌雌雄部材の使用方法を示す図であり、（ａ）は雌部材の形成方法を示す断面図、（ｂ）は雌雄部材結合前の断面図、（ｃ）は雌雄部材結合後（ロック状態）の断面図である。
【図９】実施例３に係る雄部材の、（ａ）平面図、（ｂ）底面図、（ｃ）正面図、（ｄ）上記（ａ）のＨ−Ｈ断面図、（ｅ）側面図、（ｆ）上記（ａ）のＩ−Ｉ断面図である。
【図１０】実施例３に係る雌部材の固定部材であり、（ａ）平面図、（ｂ）底面図、（ｃ）正面図、（ｄ）上記（ａ）のＪ−Ｊ断面図である。
【図１１】実施例３に係る雌雌雄部材の使用方法を示す図であり、（ａ）は雌部材の形成方法を示す断面図、（ｂ）は雌雄部材結合前の断面図、（ｃ）は雌雄部材結合後（ロック状態）の断面図である。
【図１２】実施例４に係る雄部材の、（ａ）平面図、（ｂ）底面図、（ｃ）正面図、（ｄ）上記（ａ）のＫ−Ｋ断面図、（ｅ）側面図、（ｆ）上記（ａ）のＬ−Ｌ断面図である。
【図１３】実施例４に係る雌部材の固定部材であり、（ａ）平面図、（ｂ）底面図、（ｃ）正面図、（ｄ）上記（ａ）のＭ−Ｍ断面図である。
【図１４】実施例４に係る雌雌雄部材の使用方法を示す図であり、（ａ）は雌部材の形成方法を示す断面図、（ｂ）は雌雄部材結合前の断面図、（ｃ）は雌雄部材結合後（ロック状態）の断面図である。
【図１５】実施例５における雌雄部材のロック機能の原理を説明する斜視図である。（ａ）はロックがかかっている状態、（ｂ）はロックが外れている状態、（ｃ）は実際にはずした状態を示す。
【図１６】実施例５に係る雌部材の、（ａ）平面図、（ｂ）底面図、（ｃ）正面図、（ｄ）上記（ｂ）のＮ−Ｎ断面図、（ｅ）上記（ｂ）のＯ−Ｏ断面図である。
【図１７】実施例５に係る雌雌雄部材の使用方法を示す図であり、（ａ）は雌部材の形成方法を示す断面図、（ｂ）は雌雄部材結合前の断面図、（ｃ）は雌雄部材結合後（ロック状態）の断面図である。
【発明を実施するための形態】
【００１６】
以下、添付の図面に基づき、本発明の実施例をいくつか説明する。
【実施例１】
【００１７】
図１は、以下に説明する本発明のすべての実施例に共通する、雌雄部材のロック機能の原理を説明する斜視図である。
【００１８】
本実施例で使用する金属製のバネを有するホックでは、一般に雌部材のバネと雄部材の係合突起が組み合わされることにより連結が行われる。
【００１９】
本実施例における雄部材１は、従来のものと同様に基板１１上に起立する円柱状の突起１２からなるが、突起１２の形状が従来のものと異なる。すなわち、図１、図２に示すように、突起１２表面の下部（好ましくは下半分内）において特定方向のみに平行に２本の溝１３が形成されており（図２（ｄ））、前記特定方向と垂直な方向には溝が形成されていない（図２（ｆ））。
【００２０】
溝１３を形成する溝上部の壁は、溝底に対して直角又はそれに近い角度に切り込まれたものである（図２（ｃ）（ｄ））。一方、突起１２は円柱状であるため、溝１３は円周方向へはなだらかな傾斜を形成する（図２（ａ））。そのため、雌雄部材は相互に円周方向に回転可能である。もっとも使用時には雌雄部材はそれぞれ生地に取り付けられるので、回転可能といってもおのずと制限があるが、少なくとも１００度くらいまでなら可能である。なお、溝が形成されていない部分は垂直壁（図２（ｅ）（ｆ））か又は多少内側に窪んでいてもよい。
【００２１】
一方、本発明においても雌部材のバネは従来のものと同じである。図１、図３に示すように、雌部材２は皿状の容器２１と、中央に設けられた受け部２２を有する。皿状容器２１には、針金状の金属２３の両末端がＳ字状に曲げられて対向している。これらの両末端の一部が受け部２２に露出し、受け部２２内の雄部材１を押圧することにより、雌雄部材１，２の連結が行われる。
【００２２】
その結果、図１（ａ）に示すように、バネ２３が突起１２の溝１３にはまったとき、バネ２３は溝上部の壁に邪魔されるので、雌雄部材を引き剥がすことはできなくなる。すなわち、ロックされる。しかし、円周方向へは回転自在である（図１（ａ）の矢印参照）ので、使用者が雌雄いずれの部材も指で回転させることができる。雄部材１の溝１３がない突起部分にバネ２３が位置すると、障害物がなくなり、雌雄部材１，２は簡単に引き剥がすことができるようになる（図１（ｃ）矢印）。
【００２３】
どの位置に回した時にロックがかかるのか、どの位置で解除されるのかを可視化するために目印をつけておくことが好ましい。図１、図２では小さい貫通孔１４がその役目を果たしている。その他、模様や文字、絵柄などでもよい。
【００２４】
雌雄部材１，２共に生地Ｆ１，Ｆ２（図５）に取り付けられるときには固定部材を必要とする。図４は雌部材２側の固定部材２５であり、円板２６と、かしめ用の脚部２７からなる。図５（ａ）はかしめ前、図５（ｂ）はかしめ後の状態を表している。雄部材１の固定部材１５は図５（ｂ）（ｃ）に表れているように、キャップ１６と、かしめ用の連結部材１７からなる。図５（ｂ）（ｃ）はかしめ後の状態を表している。
【００２５】
図５（ｃ）はバネ２３が溝１３に収容されているので、ロック状態を表している。
【実施例２】
【００２６】
図６〜８は実施例２である。雌部材２Ａ及び雌雄部材１Ａ，２Ａのロック機構は実施例１と同じであると共に類似点が多いので、実施例１と同様の部品には実施例１の符号の後に「Ａ」をつけて詳細な説明を省略する。
【００２７】
実施例２が実施例１と異なるのは、雄部材１Ａが生地に取り付けられる方法である。実施例２では、雄部材１Ａ自身が有する脚部１７Ａを固定部材１５Ａの円板状のキャップ１６Ａにかしめることによる（図８（ｂ）（ｃ））。キャップ１６Ａには脚部がなく、縁が二重になっている（図７（ｄ））。
【００２８】
図８（ｃ）はバネ２３Ａが溝１３Ａに収容されているので、ロック状態を表している。
【実施例３】
【００２９】
図９〜１１は実施例３である。雌部材２Ｂ及び雌雄部材１Ｂ，２Ｂのロック機構は実施例１と同じであると共に類似点が多いので、実施例１と同様の部品には実施例１の符号の後に「Ｂ」をつけて詳細な説明を省略する。
【００３０】
実施例３が実施例１と異なるのは、雄部材１Ｂが生地Ｆ１Ｂ，Ｆ２Ｂに取り付けられる方法である。実施例３では、雄部材１Ｂの基板１１Ｂが有する縁部１１１Ｂと、固定部材１５Ｂのキャップ１６Ｂとをかしめ部材１７Ｂ（図１０）を介してかしめることによる（図１１（ｂ）（ｃ））。かしめ部材１７Ｂは円板１７１Ｂとその円板から垂下する脚部１７２Ｂからなる（図１０）。
【００３１】
図１１（ｃ）はバネ２３Ｂが溝１３Ｂに収容されているので、ロック状態を表している。
【実施例４】
【００３２】
図１２〜１４は実施例４である。雌部材２Ｃ及び雌雄部材１Ｃ，２Ｃのロック機構は実施例１と同じであると共に類似点が多いので、実施例１と同様の部品には実施例１の符号に「Ｃ」をつけて詳細な説明を省略する。
【００３３】
実施例４が実施例１と異なるのは、雄部材１Ｃが生地Ｆ１Ｃ，Ｆ２Ｃに取り付けられる方法である。雄部材１Ｃは、突起１２Ｃ内が空洞１２１Ｃとなっている（図１２（ｄ）（ｆ））。一方、固定部材１５Ｃは、図１３に示すように、円板状キャップ１６Ｃと、このキャップ１６Ｃから突出する圧入用小突起１７Ｃからなる。連結は、生地Ｆ２Ｃを挟んでキャップの小突起１７Ｃを係合用突起１２Ｃ内の空洞部１２１Ｃに圧入することによる（図１４（ｂ）（ｃ））。
【００３４】
図１４（ｃ）はバネ２３Ｃが溝１３Ｃに収容されているので、ロック状態を表している。
【実施例５】
【００３５】
図１５〜１７は実施例５である。実施例１と同様の部品には実施例１の符号の後に「Ｄ」をつけて詳細な説明を省略する。実施例５は、実施例１〜４と異なり、雌部材２Ｄが金属製のバネではなく、樹脂製のバネを使用する。ここで使用している雌部材２Ｄは本出願人の出願に係る特開２０１７−２２５６５２で使用しているものであるので、詳細はそちらを参照していただきたい。
【００３６】
図１５は雄部材１Ｄと、雌部材２Ｄの部品である樹脂製バネ２３Ｄの係合原理を示している。
【００３７】
図１６に示すように、雌部材２Ｄ本体は真鍮などの金属製であり、皿状部２１Ｄと、この皿状部２１Ｄの中央に突出する円筒部２４Ｄと、中央に設けられた受け部２２Ｄを有する。円筒部２４Ｄの下部（好ましくは下半分内）には２つのスリット２４１が対向して設けられている。
【００３８】
樹脂製バネ２３Ｄは、図１５、図１６に示すように、日本刀のつばのような形状であり、左右の太幅部２３１Ｄ，２３２Ｄと上下の薄幅部２３３Ｄ，２３４Ｄによって、上下方向に延びる長孔２３５Ｄが形成されている。樹脂製バネ２３Ｄの樹脂としては、ポリアミド（ナイロン）又はポリエステルが好ましい。
【００３９】
図１５に示すように、樹脂製バネ２３Ｄの一部が円筒部２４Ｄのスリット２４１Ｄに嵌められて、この位置で支持固定されている。
【００４０】
その結果、図１５（ａ）に示すように、樹脂製バネ２３Ｄが突起１２Ｄの溝１３Ｄにはまったとき、樹脂製バネ２３Ｄは溝上部の壁に邪魔されるので、雌雄部材を引き剥がすことはできなくなる。すなわち、ロックされる。しかし、円周方向へは回転自在である（図１５（ａ）矢印）ので、使用者は雌雄いずれの部材を指で回転させることができる。回転させるときには樹脂製バネの長孔２３５Ｄにかなり大きな変形圧力が加わる。太幅部２３１Ｄ，２３２Ｄの幅長さや樹脂の材質を調整して変形圧力を調整することができる。雄部材１Ｄの溝１３Ｄがない突起部分に樹脂製バネ２３Ｄが位置すると、障害物がなくなり、雌雄部材１Ｄ，２Ｄは簡単に引き剥がすことができるようになる（図１５（ｃ）矢印）。
【００４１】
実施例５の雌雄部材１Ｄ，２Ｄを生地Ｆ１Ｄ，Ｆ２Ｄへ取り付ける方法は実施例１と同様である（図１７参照）。
【００４２】
図１７（ｃ）は樹脂製バネ２３Ｄが溝１３Ｄに収容されているので、ロック状態を表している。
【符号の説明】
【００４３】
１，１Ａ，１Ｂ，１Ｃ．１Ｄ  雄部材
１１，１１Ａ，１１Ｂ，１１Ｃ，１１Ｄ      基板
１１１Ｂ      縁部
１２，１２Ａ，１２Ｂ，１２Ｃ，１２Ｄ      突起
１２１Ｃ      空洞部
１３，１３Ａ，１３Ｂ，１３Ｃ，１３Ｄ      溝
１４，１４Ａ，１４Ｂ，１４Ｃ，１４Ｄ      目印（貫通孔）
１５，１５Ａ，１５Ｂ，１５Ｃ，１５Ｄ      固定部材
１６，１６Ａ，１６Ｂ，１６Ｃ，１６Ｄ      キャップ
１７，１７Ｄ  連結部材
１７Ａ かしめ用脚部
１７Ｂ かしめ部材
１７１Ｂ      円板
１７２Ｂ      脚部
１７Ｃ 圧入用小突起
１７Ｃ 小突起
２，２Ａ，２Ｂ，２Ｃ，２Ｄ  雌部材
２１   皿状容器
２２，２２Ａ，２２Ｂ，２２Ｃ，２２Ｄ      受け部
２３，２３Ａ，２３Ｂ，２３Ｃ       金属バネ
２４Ｄ 円筒部
２４１Ｄ      スリット
２５，２５Ａ，２５Ｂ，２５Ｃ，２５Ｄ      固定部材
２６   円板
２７   脚部
Ｆ１，Ｆ２    生地
Ｆ１Ａ，Ｆ２Ａ       生地
Ｆ１Ｂ，Ｆ２Ｂ       生地
Ｆ１Ｃ，Ｆ２Ｃ       生地
Ｆ１Ｄ，Ｆ２Ｄ       生地
【図１】
2020175045.tif 000003
【図２】
2020175045.tif 000004
【図３】
2020175045.tif 000005
【図４】
2020175045.tif 000006
【図５】
2020175045.tif 000007
【図６】
2020175045.tif 000008
【図７】
2020175045.tif 000009
【図８】
2020175045.tif 000010
【図９】
2020175045.tif 000011
【図１０】
2020175045.tif 000012
【図１１】
2020175045.tif 000013
【図１２】
2020175045.tif 000014
【図１３】
2020175045.tif 000015
【図１４】
2020175045.tif 000016
【図１５】
2020175045.tif 000017
【図１６】
2020175045.tif 000018
【図１７】
2020175045.tif 000019